(57)【要約】【課題】  カメラ画像に悪影響を及ぼす不要なフレアやハレーションまたは正面反射などを減少またはカットするカメラ撮影用照射装置を提供することを目的とする。【解決手段】  本カメラ用照射装置のレンズアダプタ２は、レンズ軸方向に互いにスライド可能な同心の円筒状の基部筒１４とスライド筒１５から構成され、基部筒の後端の外周部にアダプタネジ部２２を備え、アダプタネジ部がカメラ５のレンズ部１のフィルタ取り付けネジ部と噛み合う。アダプタネジ部に隣接した基部筒の外周部に、前方に照射する光源３を環状に設ける。スライド筒は前方側に反射体４を備えている。反射体は、スライド筒の前端がラッパ状の拡管形状をした第１の反射部１１と、支持ビーム１３で保持された円筒状の第２の反射部１２とから構成されている。光源からの光は第１の反射部で第２の反射部の内面に向けられ、第２の反射部の散乱反射面２１で散乱光として被写体を照射する。【選択図】    図１
2005300891.tif 000002
【特許請求の範囲】
【請求項１】
カメラのレンズ部の先端に取り付け可能な筒状のレンズアダプタと、
該レンズアダプタの外周部に設けた光源と、
前記レンズアダプタの外周部に設けた第１の反射部と、該第１の反射部から径方向に距離をおいて設けた環状の第２の反射部を有する反射体とを備え、
前記光源からの光を前記第１の反射部で反射して前記第２の反射部の内面に当て、さらに該第２の反射部の内面で反射された光を被写体に照射することを特徴とするカメラ用照射装置。
【請求項２】
前記光源は前記レンズアダプタのカメラ側の外周部に、前記反射体は前記レンズアダプタの被写体側の外周部に設けることを特徴とする請求項１に記載のカメラ用照射装置。
【請求項３】
前記レンズアダプタは基部筒とスライド筒の同心２重の筒で構成され、前記基部筒のカメラ端側に前記カメラのレンズ部先端のフィルタ取り付けネジ部にねじ込み可能なアダプタネジ部を有し、前記スライド筒の被写体側に前記反射体が設けられ、
前記基部筒とスライド筒は、前記レンズアダプタの長さ調整が可能な構成であることを特徴とする請求項１または２に記載のカメラ用照射装置。
【請求項４】
前記第２の反射部の内面に、光を散乱反射するように表面処理を施したことを特徴とする請求項１から３のいずれか１に記載のカメラ用照射装置。
【発明の詳細な説明】
【技術分野】
【０００１】
本発明は、カメラ撮影用の照射装置に関する。
【背景技術】
【０００２】
従来からカメラの撮影光源は太陽光や電球光そしてストロボ光などから照射される光により被写体正面に直接照射され、照射された被写体正面は光源による表面反射像としてカメラに撮影されていた。
【発明の開示】
【発明が解決しようとする課題】
【０００３】
然るに、カメラによって得られた画像には、不必要なフレアやハレーションまたは正面反射による表面反射像が写し出され、被写体の実態を記録観察する妨げになるなど、カメラ画像の品質にとって問題となる場合があった。
特に、医療における臨床記録や実験記録においては、上記フレアやハレーション、そして正面反射は、不確実な情報提供による誤った審査や診断にもつながる可能性がある。
【０００４】
本発明は、上記の問題点を解決するために、カメラなどによる撮影に際し、カメラ画像に悪影響を及ぼす不要なフレアやハレーションまたは正面反射などを減少またはカットするカメラ撮影用の照射装置を提供することを目的とする。
【課題を解決するための手段】
【０００５】
このため、本発明は、カメラのレンズ部の先端に取り付け可能な筒状のレンズアダプタと、レンズアダプタの外周部に設けた光源と、レンズアダプタの外周部に設けた第１の反射部と、第１の反射部から径方向に距離をおいて設けた環状の第２の反射部を有する反射体とを備え、光源からの光を第１の反射部で反射して第２の反射部の内面に当て、さらに第２の反射部の内面で反射された光を被写体に照射するものとした。
【発明の効果】
【０００６】
本発明により、光源からの光を、第１の反射部で反射し、環状の第２の反射部の内面に当て、さらに内面で反射した光を被写体側に反射するので、被写体から正面反射してカメラのレンズに入射する光量が減じ、被写体に周囲から斜めに照射され被写体に当たり反射し、カメラのレンズに入射する光量が増加する。
その結果、間接照射による被写体の凹凸を鮮明にした立体感のある画像を得ることができる。
【発明を実施するための最良の形態】
【０００７】
以下本発明の実施の形態を説明する。図１は本発明の実施の形態のカメラ用照射装置の構成を示す縦断面図であり、図２は斜視図である。
本カメラ用照射装置は、カメラ５（図３参照）のレンズ部１の先端にレンズアダプタ２を取り付けて用いる。ここでは被写体側を前または前方、カメラ５本体側を後または後方と呼ぶ。
レンズアダプタ２は、基部筒１４とスライド筒１５の同心２重の筒で構成され、レンズアダプタの長さ調整が可能な構成である。
【０００８】
基部筒１４の後端の外周部にアダプタネジ部２２を備え、アダプタネジ部２２がカメラ５のレンズ部１のフィルタ取り付けネジ部と噛み合う。アダプタネジ部２２に隣接した基部筒１４の外周部に、前方に光を照射する光源３を環状に設けている。
光源３は、図示省略の反射鏡によりレンズ軸にほぼ平行に環状の光束を照射する。光源３は、図示省略のバッテリに接続され、スイッチオンの間点灯したままでも良いし、カメラ５のシャッターに連動しフラッシュしても良い。
【０００９】
スライド筒１５は基部筒１４の外側に同心に嵌まり、前方側に反射体４を備えている。反射体４は、スライド筒１５の前端がラッパ状の拡管形状をし、その拡管外周面を反射面とした第１の反射部１１と、拡管前端から径方向に延びる細い棒状の支持ビーム１３で保持された円筒状の第２の反射部１２とから構成されている。第２の反射部１２の内面は、細かい凹凸のある表面処理を施した散乱反射面２１である。
【００１０】
スライド筒１５の後端の外周部には、スライド筒１５を基部筒１４に対して前後にスライドさせるための操作リング１６が設けられている。
なお、スライド筒１５と基部筒１４との間のスライド構造は、ズームレンズなどで使用されている操作リング１６を回転させて行うもの、または操作リング１６を前後に移動させて行うもののいずれでも良い。また、スライド構造にはスライド筒１５が前方に延びきった位置でそれ以上移動しないようにストッパ機能を有している。
【００１１】
本実施の形態の作用を以下に説明する。
図３の（ａ）は、例えば歯科医療に使用する場合に被写体の歯および歯グキを大きく（例えば撮影倍率１／１．２倍で）撮影する場合を示し、（ｂ）は、歯および歯グキを（ａ）の場合より小さく（例えば撮影倍率１／２倍で）撮影する場合を示す。
（ａ）の場合は、被写体とカメラ５のレンズ部１との距離が短くなるため、レンズアダプタ２の長さを短く調節する。
（ｂ）の場合は、被写体とカメラ５のレンズ部１との距離がより長くなるため、レンズアダプタ２の長さをそれに合わせて延ばし調節する。
【００１２】
光源３から出射されたレンズ軸にほぼ平行な環状の光束は、第１の反射部１１で反射されて、第２の反射部１２の内面の散乱反射面２１に実線矢印のように入射する。入射した光は散乱反射面により、いろいろな方向に散乱され、散乱反射面２１の全周囲から満遍なく被写体を散乱光で照射する。散乱反射面２１から被写体に斜めの角度で照射される場合の角度は、４５°以上が望ましい。
図３の実線の矢印は代表的に１本だけ示したが、光源３から出射された光は、散乱反射面２１全体に照射され、被写体側からみると散乱反射面２１全体が散乱光源であるかのように被写体を照射する。
【００１３】
以上のように本実施の形態によれば、レンズアダプタ２の後端の外周部に設けた光源３からの環状のレンズ光軸に沿った前方への光を、円筒状の第２の反射部１２の内面の散乱反射面２１に当て、散乱反射面２１で反射した光を被写体に照射するので、レンズ光軸に沿って被写体に直接照射され、被写体から正面反射してカメラ５のレンズに入射する光量が減じ、被写体に周囲から斜めに照射されて反射し、カメラ５のレンズに入射する光量が増加する。
特に第２の反射部１２の内面は表面処理によって散乱反射面２１としてあるので、光源３からの光がこの面で散乱され被写体に照射されるので、第２の反射部１２で囲まれる前方部分の被写体の領域を満遍なく、周囲から照らすことができる。その結果レンズに入射する光は、被写体の正面反射によるものが少なく、被写体の凹凸を鮮明にした立体感のあるカメラ画像を得ることができる。
【００１４】
さらに、レンズアダプタ２の長さを可変にできる構成としているので、レンズの焦点距離、被写体とレンズとの距離に応じて、被写体と反射体４の前端との距離を独立に調節することができる。
また第２の反射部１２を支持する支持ビーム１３は、細くしているので、光源３からの光による被写体に映る支持ビーム１３の陰は実質発生せず、撮影に障害にならない。
なお、適宜第１の反射部１１の最大外形を大きく設定することにより、被写体の撮影範囲に光源３からの直接光を当てないようにすることができる。
【００１５】
なお、実施の形態ではレンズアダプタ２の内筒である基部筒１４の後端がレンズ部１に取り付けられ、外筒であるスライド筒１５の前端に反射体４を設けるとしたが、これに限定されるものではない。例えば、レンズアダプタ２の外筒を基部筒１４として、その後端がレンズ部１に取り付けられ、内筒をスライド筒１５として、その前端に反射体４を設けてもよい。
また、第２の反射部は円筒状としたがそれに限定されるものではなく、やや前方に開いた拡管形状でも良い。
【００１６】
さらに、本実施の形態では、光源３を基部筒１４の後方側に設けて前方に光を出し、前方の第１の反射部において反射させるものとしたが、それに限定されるものではない。例えば、スライド筒の前方端に後方に光を出すように光源を設け、反射体を光源より後方に配置し、その反射体の第１の反射部は後方に向かって拡管する形状とし、その外周面を反射面とする。そして、第１の反射部で反射された光を第２の反射部の内面に当て、散乱反射した光を被写体に照射するようにしてもよい。
【図面の簡単な説明】
【００１７】
【図１】本発明の実施の形態のカメラ用照射装置の構成を示す縦断面図である。
【図２】本カメラ用照射装置の斜視図である。
【図３】本カメラ用照射装置の使用状態を説明する図である。
【符号の説明】
【００１８】
１        レンズ部
２        レンズアダプタ
３        光源
４        反射体
５        カメラ
１１      第１の反射部
１２      第２の反射部
１３      支持ビーム
１４      基部筒
１５      スライド筒
１６      操作リング
２１      散乱反射面
２２      アダプタネジ部
【図１】
2005300891.tif 000003
【図２】
2005300891.tif 000004
【図３】
2005300891.tif 000005